(57)【要約】【課題】温度調節の調節値を表示する表示部の視認性を向上できる冷蔵庫を提供する。【解決手段】貯蔵室３内を照明する照明装置３０と、使用者が操作する操作ツマミ１３を有して貯蔵室３内の温度を調節する温度調節部１０と、温度調節部１０による調節値を表示する表示部１２ａとを備えた冷蔵庫１において、温度調節部１０を囲繞するハウジング１１の背面に背面開口部１１ｆを設け、照明装置３０の光源３２を背面開口部１１ｆに対向配置するとともに、ハウジング１１の前壁１１ｅに表示部１２ａを形成し、光源３２の出射光によって表示部１２ａを透過照明した。【選択図】図２
2008020104.tif 000002
【特許請求の範囲】
【請求項１】
貯蔵室内を照明する照明装置と、使用者が操作する操作部を有して前記貯蔵室内の温度を調節する温度調節部と、前記温度調節部による調節値を表示する表示部とを備え、前記照明装置によって前記表示部を透過照明したことを特徴とする冷蔵庫。
【請求項２】
前記温度調節部を囲繞するハウジングの背面に背面開口部を設け、前記照明装置の光源を前記背面開口部に対向配置するとともに、前記ハウジングの前壁に前記表示部を形成したことを特徴とする請求項１に記載の冷蔵庫。
【請求項３】
前記温度調節部は、温度調節量を可変するボリュームと、前記前壁の後方に配されて前記ボリュームに連結される中継ツマミとを有し、前記前壁に設けた孔部を介して前記操作部を前記中継ツマミに連結するとともに、前記表示部は前記ハウジングの前面の前記操作部の周囲に設けられる開口部と、前記開口部の背面側を遮蔽して前記中継ツマミと一体に回動する遮蔽部とを有し、前記操作部の回転量に応じて前記遮蔽部による前記開口部の遮蔽量を可変したことを特徴とする請求項２に記載の冷蔵庫。
【請求項４】
前記開口部は複数の小孔から成ることを特徴とする請求項３に記載の冷蔵庫。
【請求項５】
前記表示部は複数の小孔を前記ハウジングの前面に有し、前記操作部の回転により前記小孔を透過する光の透過面積を可変したことを特徴とする請求項２に記載の冷蔵庫。
【請求項６】
前記小孔に内接する最大の円の直径を２．８ｍｍ以下にしたことを特徴とする請求項４または請求項５に記載の冷蔵庫。
【発明の詳細な説明】
【技術分野】
【０００１】
本発明は、使用者の操作により貯蔵室内の温度を調節する温度調節部を備えた冷蔵庫に関する。
【背景技術】
【０００２】
従来の冷蔵庫は特許文献１に開示されている。この冷蔵庫は貯蔵室の側壁に温度調節部が設けられる。温度調節部は貯蔵室の室内温度を調節する制御回路を有し、ボリュームと一体の操作ツマミの操作によって貯蔵室を所望の温度に調節することができる。操作ツマミの周囲には「強」、「中」、「弱」等の文字等によって調節値を示す表示部が設けられる。各文字はラベルの貼着や彫刻等により形成される。操作ツマミに設けた突起等が回転位置に応じて対応する文字を指し、貯蔵室内の照明光や居室内の照明光の反射によって各調節値を視認できるようになっている。
【特許文献１】実願昭６２−１１５２９３号（第４頁−第８頁、第２図）
【発明の開示】
【発明が解決しようとする課題】
【０００３】
しかしながら、上記従来の冷蔵庫によると、表示部は貯蔵室の前部に配置され、貯蔵室内を照明する後方からの照明光では充分照明することができない。このため、居室内が暗くなると表示部の視認性が悪くなる問題があった。
【０００４】
本発明は、温度調節の調節値を表示する表示部の視認性を向上できる冷蔵庫を提供することを目的とする。
【課題を解決するための手段】
【０００５】
上記目的を達成するために本発明は、貯蔵室内を照明する照明装置と、使用者が操作する操作部を有して前記貯蔵室内の温度を調節する温度調節部と、前記温度調節部による調節値を表示する表示部とを備え、前記照明装置によって前記表示部を透過照明したことを特徴としている。この構成によると、操作部の操作によって温度調節部は所望の調節値に設定され、照明装置の照明光が表示部を透過して該調節値が視認される。設定された調節値に基づいて温度調節部が貯蔵室内を所定温度に調節する。
【０００６】
また本発明は、上記構成の冷蔵庫において、前記温度調節部を囲繞するハウジングの背面に背面開口部を設け、前記照明装置の光源を前記背面開口部に対向配置するとともに、前記ハウジングの前壁に前記表示部を形成したことを特徴としている。この構成によると、温度調節部の後方に照明装置が配され、照明装置の照明光はハウジング背面の背面開口部を介して前面の表示部を照明する。
【０００７】
また本発明は、上記構成の冷蔵庫において、前記温度調節部は、温度調節量を可変するボリュームと、前記前壁の後方に配されて前記ボリュームに連結される中継ツマミとを有し、前記前壁に設けた孔部を介して前記操作部を前記中継ツマミに連結するとともに、前記表示部は前記ハウジングの前面の前記操作部の周囲に設けられる開口部と、前記開口部の背面側を遮蔽して前記中継ツマミと一体に回動する遮蔽部とを有し、前記操作部の回転量に応じて前記遮蔽部による前記開口部の遮蔽量を可変したことを特徴としている。
【０００８】
この構成によると、照明装置の照明光は後方から開口部を透過する。操作部を回動すると操作部と一体の中継ツマミ及びボリュームが回動して温度調節量が可変される。また、中継ツマミの回動位置に応じた面積の開口部が遮蔽部により遮蔽される。これにより、開口部は光の透過する面積が可変される。
【０００９】
また本発明は、上記構成の冷蔵庫において、前記開口部は複数の小孔から成ることを特徴としている。
【００１０】
また本発明は、上記構成の冷蔵庫において、前記表示部は複数の小孔を前記ハウジングの前面に有し、前記操作部の回転により前記小孔を透過する光の面積を可変したことを特徴としている。
【００１１】
また本発明は、上記構成の冷蔵庫において、前記小孔に内接する最大の円の直径を２．８ｍｍ以下にしたことを特徴としている。この構成によると、安全性検査用の金属製の直径３ｍｍのテストピンを小孔に挿通できない。
【発明の効果】
【００１２】
本発明によると、貯蔵室内を照明する照明装置によって温度調節部による調節値を表示する表示部を透過照明したので、表示部の視認性を向上することができる。従って、居室内が暗くても容易に調節値を視認することができる。
【００１３】
また本発明によると、温度調節部を囲繞するハウジングの背面に設けた背面開口部に光源を対向配置し、ハウジングの前壁に表示部を形成したので、表示部を容易に透過照明することができる。
【００１４】
また本発明によると、温度調節量を可変するボリュームに連結する中継ツマミをハウジングの前壁の後方に配し、中継ツマミに操作部を連結したので、操作部を取り外しても前壁の後方の中継ツマミによって充電部であるボリュームの露出を防止することができる。従って、操作部の抜け止め等が不要で容易に安全性を確保することができる。
【００１５】
また、ハウジングの前面に開口部を設けたので照明装置の発熱を開口部から放熱することができる。加えて、中継ツマミと一体回転して開口部の背面側を遮蔽する遮蔽部を設けたので、遮蔽部により開口部を透過する光の透過面積を容易に可変できる。従って、調節値を簡単に視認することができる。
【００１６】
また本発明によると、開口部が複数の小孔から成るので、ハウジング内の露出を防止して美感を向上することができる。
【００１７】
また本発明によると、表示部はハウジングの前面に複数の小孔を有し、操作部の回転により小孔を透過する光の透過面積を可変したので、ハウジング内の露出を防止して美感を向上することができるとともに、調節値を簡単に視認することができる。
【００１８】
また本発明によると、小孔に内接する最大の円の直径を２．８ｍｍ以下にしたので、安全性検査用の直径３ｍｍのテストピンを小孔に挿通することができず、感電のおそれのない安全な冷蔵庫を得ることができる。
【発明を実施するための最良の形態】
【００１９】
以下に本発明の実施形態を図面を参照して説明する。図１は一実施形態の冷蔵庫を示す正面図である。冷蔵庫１は上部に冷凍室２を備え、冷凍室２の下方に冷蔵室３が配されている。冷蔵室３の右上部分には、使用者による冷蔵室３の温度調節の操作を行う温度調節部１０が配されている。
【００２０】
図２は図１のＡ部の拡大図を示している。温度調節部１０はハウジング１１で囲繞され、ハウジング１１の前面には使用者により回転操作される操作ツマミ１３（操作部）が設けられる。操作ツマミ１３は径方向に延びるアーム部１３ｂを有し、アーム部１３ｂが回動範囲Ｅ内で回動可能になっている。操作ツマミ１３の側方には文字等を印刷したラベル１２が貼着されている。
【００２１】
図３はハウジング１１を示す正面図である。ハウジング１１は樹脂成形品から成り、前壁１１ｅには操作ツマミ１３の取り付け用の貫通孔１１ｃが形成される。また、前壁１１ｅにはラベル１２を設置する凹部１１ａが設けられ、貫通孔１１ｃと同心のアーチ状に形成した前面開口部１１ｂが凹部１１ａ内に設けられる。
【００２２】
図４、図５はラベル１２を示す正面図及び背面図である。ラベル１２は透明な薄板材から成り、裏面に文字や図形等を印刷して表面から視認可能になっている。また、ハウジング１１の前面開口部１１ｂ上に配置される部分には多数の小孔１２ａが設けられる。ラベル１２の裏面には、印刷された文字等の上から両面粘着テープ１２ｂが貼着されている。両面粘着テープ１２ｂは前面開口部１１ｂ上に配置される部分が除去されている。
【００２３】
図６は図１のＢ矢視図を示している。温度調節部１０の後部には照明装置３０が一体に設けられている。照明装置３０は光源３２を有し、透明な樹脂成形品から成るケース３１により光源３２が覆われている。
【００２４】
図７は図６のＣ−Ｃ断面図を示している。温度調節部１０はハウジング１１に設けた係止部１１ｇにより冷蔵室３の右側壁３ａに取り付けられている。ハウジング１１内には基板ケース１７が設置される。基板ケース１７はハウジング１１の内壁から突出するリブ１６により支持され、基板ケース１７とハウジング１１の左側壁との間に空間部１５が設けられている。
【００２５】
基板ケース１７内には冷蔵室３の温度を制御する回路基板１９が配される。回路基板１９には冷蔵室３の温度調節量を可変するボリューム１８が実装されている。ボリューム１８の調節値に応じて冷蔵室３の冷却能力が強弱され、冷蔵室３内の温度が可変される。
【００２６】
ボリューム１８の軸部１８ａには中継ツマミ１４の背面側の軸孔１４ａが圧入されている。中継ツマミ１４の前面側の軸部１４ｂはハウジング１１の前壁１１ｅに設けた貫通孔１１ｃ（図３参照）を貫通し、操作ツマミ１３の軸孔１３ａが前壁１１ｅの前面から圧入されている。これにより、操作ツマミ１３、中継ツマミ１４及びボリューム１８の軸部１８ａが一体に回転できるようになっている。
【００２７】
中継ツマミ１４をハウジング１１の前壁１１ｅの後方に配し、中継ツマミ１４に操作ツマミ１３を連結したので、操作ツマミ１３を取り外しても前壁１１ｅの後方の中継ツマミ１４によってボリューム１８の露出を防止することができる。従って、ボリューム１８の軸部１８ａが充電部となっている場合でも、操作ツマミ１３の抜け止め等が不要で容易に安全性を確保することができる。
【００２８】
中継ツマミ１４は樹脂成形品から成り、径方向に一部が突出した遮蔽部１４ｃを有している。前述の図２に示すように、遮蔽部１４ｃは扇形に形成され、操作ツマミ１３の回動位置に応じてアーチ状の前面開口部１１ｂの一部または全部を遮蔽する。
【００２９】
図８は図６のＤ−Ｄ断面図を示している。照明装置３０の光源３２は温度調節部１０に設けたソケット３３に取り付けられる。ソケット３３は回路基板１９（図７参照）に接続されている。ケース３１は爪部３１ａによって温度調節部１０のハウジング１１に取り付けられている。また、ケース３１の底面には通気孔（不図示）が設けられる。
【００３０】
図９は図８から照明装置３０を取り外した状態を示している。温度調節部１０のハウジング１１は背面を開口した背面開口部１１ｆ（図中、斜線で示す）が形成されている。光源３２の出射光はケース３１を透過して冷蔵室３内を照明する。また、光源３２はケース３１の底面の通気孔から流入した冷気により冷却される。該冷気は光源３２の冷却後、背面開口部１１ｆ及び空間部１５（図７参照）を介してハウジング１１の前面開口部１１ｂ（図３参照）から流出する。これにより、光源３２の発熱を容易に放熱することができる。
【００３１】
また、光源３２の出射光は背面開口部１１ｆ及び空間部１５（図７参照）を介してハウジング１１の前面開口部１１ｂ（図３参照）を背面から照明する。図１０に示すように、操作ツマミ１３を回動してボリューム１８を最小にすると、アーム部１３ｂが回動範囲Ｅ（図２参照）の下限に配置される。これにより、前面開口部１１ｂの全体が遮蔽部１４ｃにより遮蔽され、光源３２の出射光がラベル１２の小孔１２ａを透過しない。
【００３２】
図１１に示すように、操作ツマミ１３を回動してボリューム１８を最大にすると、アーム部１３ｂが回動範囲Ｅの上限に配置される。これにより、光源３２の出射光が前面開口部１１ｂ及び小孔１２ａの全体を透過する。また、前述の図２に示すように、操作ツマミ１３のアーム部１３ｂを水平に配置した場合は、前面開口部１１ｂの上部が遮蔽部１４ｃにより遮蔽される。これにより、光源３２の光が前面開口部１１ｂ及び小孔１２ａの下部を透過する。
【００３３】
即ち、操作ツマミ１３によりボリューム１８を調節すると、操作ツマミ１３の回動角度に応じて小孔１２ａを透過する光の面積が可変される。その結果、使用者は小孔１２ａの透過光の面積によってボリューム１８の調節値を容易に視認することができる。従って、前面開口部１１ｂ、小孔１２ａ及び遮蔽部１４ｃは、温度調節部１０による調節値を表示する表示部を構成する。尚、光源３２の放熱性が確保される場合は、前面開口部１１ｂまたは小孔１２ａを透明部材で塞いでもよい。
【００３４】
小孔１２ａは直径２．８ｍｍ以下の円形に形成されている。これにより、安全性検査用の直径３ｍｍのテストピンを小孔１２ａに挿通することができず、感電のおそれのない安全な冷蔵庫１を得ることができる。小孔１２ａを円以外の形状に形成してもよい。この時、小孔１２ａに内接する最大の円の直径を２．８ｍｍ以下にするとよい。これにより、直径３ｍｍのテストピンを小孔１２ａに挿通できず、安全な冷蔵庫を得ることができる。また、ハウジング１１の前面開口部１１ｂを多数の小孔により形成してもよい。
【００３５】
本実施形態によると、冷蔵室３内を照明する照明装置３０によって温度調節部１０による調節値を表示する表示部を透過照明したので、表示部の視認性を向上することができる。従って、居室内が暗くても容易に調節値を視認することができる。
【産業上の利用可能性】
【００３６】
本発明によると、使用者の操作により貯蔵室内の温度を調節する温度調節部を備えた冷蔵庫に利用することができる。
【図面の簡単な説明】
【００３７】
【図１】本発明の実施形態の冷蔵庫を示す正面図
【図２】図１のＡ部詳細図
【図３】本発明の実施形態の冷蔵庫の温度調節部のハウジングを示す正面図
【図４】本発明の実施形態の冷蔵庫の温度調節部のラベルを示す正面図
【図５】本発明の実施形態の冷蔵庫の温度調節部のラベルを示す背面図
【図６】図１のＢ矢視図
【図７】図３のＣ−Ｃ断面図
【図８】図３のＤ−Ｄ断面図
【図９】本発明の実施形態の冷蔵庫の温度調節部を示す背面図
【図１０】本発明の実施形態の冷蔵庫の温度調節部の動作を説明する正面図
【図１１】本発明の実施形態の冷蔵庫の温度調節部の動作を説明する正面図
【符号の説明】
【００３８】
１    冷蔵庫
２    冷凍室
３    冷蔵室
１０    温度調節部
１１    ハウジング
１１ｂ  前面開口部
１１ｅ  前壁
１１ｆ  背面開口部
１２    ラベル
１２ａ  小孔
１３    操作ツマミ
１３ｂ  アーム部
１４    中継ツマミ
１４ｃ  遮蔽部
１８    ボリューム
１９    回路基板
２０    表示部
３０    照明装置
３１    ケース
３２    光源
【図１】
2008020104.tif 000003
【図２】
2008020104.tif 000004
【図３】
2008020104.tif 000005
【図４】
2008020104.tif 000006
【図５】
2008020104.tif 000007
【図６】
2008020104.tif 000008
【図７】
2008020104.tif 000009
【図８】
2008020104.tif 000010
【図９】
2008020104.tif 000011
【図１０】
2008020104.tif 000012
【図１１】
2008020104.tif 000013